(57)【要約】      （修正有）【課題】大便器のボウル部への洗浄水の勢いを強くしても、ボウル部外への水跳ねを防止できる水洗大便器を提供する。【解決手段】大便器１のボウル部２の上縁部であり、その内周面が内方に向ってオーバーハングしたリム部３と、リム部３の下方に棚部と、棚部上に洗浄水を吐水し旋回流を形成する吐水部４と、吐水部４への洗浄水の供給をする制御する洗浄水供給手段と、を有する水洗大便器１において、吐水部４は、ボウル部２の前後方向中央より後方側に配置され、かつボウル部２の後背部に向けて開口している。【選択図】図１
2011208362.tif 000002
【特許請求の範囲】
【請求項１】
ボウル形状の汚物受け面と、上縁部でありその内周面が内方に向ってオーバーハングしたリム部と、このリム部と汚物受け面との間に形成された棚部とを備えたボウル部と、
上記ボウル部の棚部上に洗浄水を吐水し旋回流を形成する吐水部と、
前記吐水部への洗浄水の供給をする制御する洗浄水供給手段と、を有する水洗大便器において、
前記吐水部は、前記ボウル部の前後方向中央より後方側に配置され、かつ前記ボウル部の後背部に向けて開口していることを特徴とする水洗大便器。
【請求項２】
前記洗浄水供給手段は、前記吐水部より洗浄水を低瞬間流量で吐水する第一所定時間、その後に瞬間流量を増加させる第二所定時間、高瞬間流量で吐水する第三所定時間にて前記ボウル部を洗浄するように制御することを特徴とする請求項１記載の水洗大便器。
【発明の詳細な説明】
【技術分野】
【０００１】
本発明は、水洗大便器に関する。
【背景技術】
【０００２】
従来の水洗大便器は、ボウル部の後方に設けられたリム吐水口より洗浄水がボウル部の前方に向かって吐水されボウル部に洗浄水の旋回流を引き起こし、便器洗浄を行っているものが知られている（例えば、特許文献１参照）。このような場合、排泄時に汚物が飛び散り汚れ易い箇所であるボウル部の後方は、リム吐水口より吐出され旋回する洗浄水が行き渡り難く、汚れが残留するといった問題があった。
一方、清掃性を向上させるために、ボウル部の前後方向中央より前方にリム吐水口を設け、ボウル部後方へ洗浄水を吐水するようにしたものが知られている（例えば、特許文献２参照）。
【先行技術文献】
【特許文献】
【０００３】
【特許文献１】特開２００６−１０４９３６号公報
【特許文献２】特開２０００−２６５５２５号公報
【発明の概要】
【発明が解決しようとする課題】
【０００４】
しかしながら、上述の従来技術の場合、ボウル部の前後方向中央より前方にリム吐水口が設けられているため、排泄時に汚物が飛び散り汚れ易い箇所であるボウル部の後方に洗浄水が辿り着いた際には洗浄水の勢いが落ちており、充分に洗浄されないといった問題がある。
一方、それを解決するために洗浄水の勢いを強めると洗浄水が便器のボウル部外へ水跳ねが生じる可能性があるといった問題が生じる。
【０００５】
本発明は、上記課題を解決するためになされたもので、本発明の目的は、便器のボウル部を効率的に洗浄することができ、便器のボウル部外への水跳ねを防止することができる水洗大便器を提供することである。
【課題を解決するための手段】
【０００６】
上記目的を達成するために本発明によれば、ボウル形状の汚物受け面と、上縁部でありその内周面が内方に向ってオーバーハングしたリム部と、このリム部と汚物受け面との間に形成された棚部とを備えたボウル部と、ボウル部の棚部上に洗浄水を吐水し旋回流を形成する吐水部と、吐水部への洗浄水の供給をする制御する洗浄水供給手段と、を有する水洗大便器において、吐水部は、ボウル部の前後方向中央より後方側に配置され、かつボウル部の後背部に向けて開口していることを特徴としている。
このような構成によれば、吐水部より吐水された洗浄水は、先ず、排泄時に汚物が飛び散り汚れ易い箇所であるボウル部の後背部を洗浄する為、効率的にボウル部を洗浄することができる。また、効率的にボウル部を洗浄することができるために、吐水部より吐水される洗浄水の勢いを強めて洗浄する必要がなく、便器のボウル部外への水跳ねを防止することができる。
【０００７】
上記目的を達成するために本発明によれば、好ましくは、洗浄水供給手段は、吐水部より洗浄水を低瞬間流量で吐水する第一所定時間、その後に瞬間流量を増加させる第二所定時間、高瞬間流量で吐水する第三所定時間にてボウル部を洗浄するように制御することを特徴としている。
このような構成によれば、吐水部より吐水される洗浄水の勢いを強くしたとしても、吐水される洗浄水が便器のボウル部外へ水跳ねすることを確実に防止することができる。
【発明の効果】
【０００８】
本発明によれば、便器のボウル部を効率的に洗浄することができ、便器のボウル部外への水跳ねを防止することができる水洗大便器を提供することができる。
【図面の簡単な説明】
【０００９】
【図１】本発明の水洗大便器の全体構成を示す全体斜視図である。
【図２】本発明のリム洗浄水の吐水方法を示す平面断面図である。
【図３】本発明の給水装置のブロックチャート図である。
【図４】本発明の給水装置のタイミングチャートである。
【発明を実施するための形態】
【００１０】
図１は、本発明の水洗大便器の全体構成を示す全体斜視図である。図１を使用して、本発明の各構成部材の配置を詳説する。
水洗大便器１はボウル部２を備え、またボウル部２は、ボウル形状の汚物受け面２１と、上縁部でありその内周面が内方に向ってオーバーハングしたリム部３と、このリム部３と汚物受け面２１との間に形成された棚部２２とを備えている。吐水部４は図示しない流量可変装置を備えた洗浄水供給手段に接続されている。ボウル部２は排水路５に接続され、排泄物混じりの溜水は洗浄水の供給によって建物の排水配管に排出されるようになっている。
【００１１】
図２は、本発明のリム洗浄水の吐水方法を示す平面断面図である。図３は、本発明の給水装置のブロックチャート図である。ボウル部２に設けられる吐水部４の配置と洗浄動作について詳説する。
ボウル部２は略卵型であり、前方部２３と後背部２４の曲率半径が小さく、側部２５、２６の曲率半径が大きく、両者は滑らかな曲線でつながっている。吐水部４は、ボウル部２の大きな曲率半径部分の中央より後背部２４側に設けられ、かつ、吐水部４は後背部２４に向けて開口している。
本発明の給水部分にはバルブ開閉手段６、洗浄水供給手段７を備えている。洗浄水供給手段７には給水貯留手段８、ポンプ９、ポンプ１０を備えている。ポンプ９、ポンプ１０は制御手段１６からの信号により、ポンプの回転数を可変させて供給する水の流量を自在に変化させることが可能であり、洗浄水供給手段７は流量可変手段としての役割も備えている。水洗大便器１のボウル部２には吐水部４、ゼットノズル１２、トラップ１３、排水ソケット１４を備えている。また、吐水部４にはリムノズル１１を備えている。リムノズル１１、ゼットノズル１２はそれぞれ、ポンプ１０、ポンプ９と接続されている。洗浄水供給手段７はバルブ開閉手段６に接続されており、制御手段１６からの信号によりバルブ開閉手段６がバルブ開閉を行うことによって、給水源からの水を給水貯留手段８に貯留することができる。ポンプ９、ポンプ１０は制御手段１６によって動作し、給水貯留手段８に貯留された水をそれぞれ、ゼットノズル１２、リムノズル１１に供給することができる。
【００１２】
上記のように構成された水洗大便器１で洗浄操作を操作部１５に対して行うと、ポンプ９が動作し、洗浄水がリムノズル１１に供給され、吐水部４から洗浄水が吐出される。吐水部４から吐出される洗浄水はボウル部２の先端から後方に向かって旋廻しながら、ボウル部２後方から順に前方へと洗浄を行う。この結果、水洗大便器１の最も汚れやすい領域であるボウル部２の後背部２４に対して水勢の強い洗浄水で有効に洗浄することが可能となる。
【００１３】
図４は本発明の給水装置のタイミングチャートである。図４を使用して本発明の洗浄パターンについて詳説する。
ポンプ９はリム部３の吐水流量を自在に変化させることが可能である。ポンプ９によるリム部３の洗浄が開始される。洗浄開始直後においてリム洗浄水の瞬間流量が大きすぎると、遠心力により洗浄水がボウル部２の外に飛び出す可能性がある。この現象を防止するため、吐水開始直後において制御装置１６は、洗浄水供給手段７に備えたポンプ１０からリムノズル１１へ供給する瞬間流量を減少させて吐水部４より吐出することで、水の飛び出しや、巻き込まれた空気による異音発生を防止している。時間Ｔ０からＴ１までの所定時間（第一所定時間）では吐水部４より洗浄水を低瞬間流量で吐水する。時間Ｔ１からＴ２までの所定時間（第二所定時間）では瞬間流量を増加させる。時間Ｔ２からＴ３までの所定時間（第三所定時間）では略一定の高瞬間流量で吐水する。この結果、吐水部４より吐水される洗浄水の勢いを強くしたとしても、吐水される洗浄水も水洗大便器１のボウル部２外への水跳ねを防止することができる。吐水部４から吐水される洗浄水は通常の洗浄時と比較して強い水勢で洗浄を行うことが可能となり、遠心力により、通常の洗浄では水が届かなかったボウル部２のリム部３の近傍まで洗浄をすることが可能となる。その後、時間Ｔ３からＴ４で、ポンプ１０は流量を減少させて洗浄を続ける。
【００１４】
時間Ｔ４になると、リム部３の洗浄が終了し、ポンプ１０が停止し、吐水が終了する。ポンプ１０が停止すると制御手段１６からの信号により、直ちにポンプ９が作動する。ポンプ９もゼットノズル１２の吐水流量を自在に変化させることが可能であり、吐水開始直後は、サイホン作用を起こすために急激に流量を増加させて吐水させる。サイホンが起動すると、ポンプ９は流量を徐々に減少させ、サイホンを持続させる程度の流量を保持できるような流量まで減少させる。所定の時間後、ポンプ９は動作を停止する。ポンプ８がサイホンを持続させる程度の流量まで到達して、所定の時間が経過した後、時間Ｔ５〜Ｔ８においてポンプ１０は再び動作を開始させ、ボウル部に水を所定の量まで貯めた後、動作を停止し、洗浄が終了する。ポンプ９によるゼット吐水と、ポンプ１０によるリム吐水にオーバーラップがあるのは、サイホン現象によって排泄物混じりの溜水が排出される時に、トラップ１３が完全に破封状態となって、建物の排水配管内の悪臭がトイレ内に拡散することを防止するためのものである。
【００１５】
また、洗浄水供給装置７は給水貯留手段８、ポンプ９、ポンプ１０を備えており、給水源からの水をゼットノズル１２、リムノズル１１にそれぞれ供給するための手段であるが、この構造に限定されるものではない。洗浄水供給装置７に代わり、図示しない切替弁をバルブ開閉手段６の下流に接続する。切替弁から接続管を２つに分岐させ、それぞれリムノズル１１、ゼットノズル１２に接続する。この構成において、切替弁を動作させることにより、リムノズル１１、ゼットノズル１２への吐水を自在に切り替えることが可能となる。また、リムノズル１１、ゼットノズル１２にそれぞれ図示しない管径変更手段を備えることにより、管径を変化させて、吐水される流量を自在に可変させることが可能となる。このとき、バルブ開閉手段６を開閉することで吐水を開始・終了させることが可能となる。このように洗浄水供給装置を給水貯留手段８、ポンプ９、ポンプ１０に限定されることなく、図４のタイミングチャートのように流量を調整することが可能となる。
【００１６】
上述の実施形態によれば、ボウル形状の汚物受け面２１と、上縁部でありその内周面が内方に向ってオーバーハングしたリム部３と、このリム部３と汚物受け面２１との間に形成された棚部２２とを備えたボウル部２と、ボウル部２の棚部２２上に洗浄水を吐水し旋回流を形成する吐水部４と、吐水部４への洗浄水の供給をする制御する洗浄水供給手段７と、を有する水洗大便器１において、吐水部４は、ボウル部２の前後方向中央より後方側に配置され、かつボウル部２の後背部２４に向けて開口していることを特徴としている。
このような構成によれば、吐水部４より吐水された洗浄水は、先ず、排泄時に汚物が飛び散り汚れ易い箇所であるボウル部２の後背部２４を洗浄する為、効率的にボウル部２を洗浄することができる。また、効率的にボウル部２を洗浄することができるために、吐水部４より吐水される洗浄水の勢いを強めて洗浄する必要がなく、便器１のボウル部２外への水跳ねを防止することができる。
【００１７】
上述の実施形態によれば、好ましくは、洗浄水供給手段は、吐水部４より洗浄水を低瞬間流量で吐水する第一所定時間、その後に瞬間流量を増加させる第二所定時間、高瞬間流量で吐水する第三所定時間にてボウル部２を洗浄するように制御することを特徴としている。
このような構成によれば、吐水部４より吐水される洗浄水の勢いを強くしたとしても、吐水される洗浄水が便器１のボウル部２外への水跳ねすることを防止することができる。
【符号の説明】
【００１８】
１…大便器
２…ボウル部
３…リム部
４…吐水部
５…排出路
６…バルブ開閉手段
７…洗浄水供給手段
８…給水貯留手段
９…ポンプ１
１０…ポンプ２
１１…リムノズル
１２…ゼットノズル
１３…トラップ
１４…排水ソケット
１５…操作部
１６…制御手段
２１…汚物受け面
２２…棚部
２３…前方部
２４…後背部
２５、２６…側部
【図３】
2011208362.tif 000003
【図１】
2011208362.tif 000004
【図２】
2011208362.tif 000005
【図４】
2011208362.tif 000006